(57)【特許請求の範囲】
【請求項１】
上下に対向して配置された天板および地板の左右両側に左右一対の側板が連結され、背板が、背面を側板の背面より前方に配置して天板、地板および左右両側板に連結され、背板は、左右に分割された複数の分割板部材が、並置された隣接する２枚の分割板部材の端縁において上下方向に延びるジョイナーによって連結されて形成され、左右両側板に隣接する背板の左右両端縁部の背面に上下方向に延びる縦芯材が配設された、前方に開口する箱型の収納体であって、ジョイナーは、互いに平行な前押さえ板と後押さえ板とが各々の略中央部において垂直に配置された１つの連結板により連結されて形成され、連結板を挟んで左右両側に前押さえ板と後押さえ板とによる挟持部を有し、挟持部において分割板部材の端縁が挟持可能とされ、ジョイナーの後押さえ板にジョイナーの背側に突出する連結支持部が配設され、連結支持部は、後押さえ板の略中央部から垂直に突設された支持板と、支持板の後押さえ板と反対側に位置する一端に後押さえ板に平行に配置された当接板とから形成され、かつ縦芯材の内壁面に当接可能な背面と同一平面上に配置される背面を有していることを特徴とする収納体。
【請求項２】
背板背面から後方に突出する左右両側板の背面と縦芯材の背面とが同一平面上に配置されていることを特徴とする請求項１に記載の収納体。
【請求項３】
ジョイナーの後押さえ板の連結板を挟んで左右両側に、前押さえ板および連結板に向かって斜め前方に突出する補強リブが配設されていることを特徴とする請求項１または２に記載の収納体。
【請求項４】
ジョイナーにおいて前押さえ板の横幅が後押さえ板の横幅より短いことを特徴とする請求項３に記載の収納体。
【発明の詳細な説明】
【技術分野】
【０００１】
本発明は、分解され、コンパクトに梱包された各部材を施工現場において組み立てて形成される収納体に関する。
【背景技術】
【０００２】
下駄箱や箪笥などの収納家具として用いられる収納体は、生産工場における梱包、倉庫からの運搬および施工現場での組み立てを容易とし、コストを低減させるなどのために、天板、地板、左右両側板、背板などの各部材に分解され、コンパクトに梱包している（特許文献１）。
【０００３】
本出願人は、上記収納体についてさらに検討を進め、背板とともに全体としても補強され、コストアップを抑えることのできる箱型収納家具を提供している（特許文献２）。
【０００４】
上記箱型収納家具は、背板を複数に分割した分割板部材を並置された隣接する２枚の分割板部材の端縁において連結棒部材により接続し、分割板部材の端縁に沿って背面に補強桟材を固着し、連結棒部材には、中程背側に補強凸部を形成するとともに、両側方に開口した長手方向に延びる凹溝部を形成し、連結棒部材の凹溝部に分割板部材の端縁を嵌合させ、補強凸部の両側に補強桟材を当接した状態において隣接する２枚の分割板部材の端縁同士を連結棒部材により接続固定して組み立てられる。
【特許文献１】特開平１１−１３７３５７号公報
【特許文献２】特開２００７−８２９２１号公報
【発明の開示】
【発明が解決しようとする課題】
【０００５】
上記箱型収納家具は、分割板部材が、端縁に沿って背面に固着される補強桟材により補強されるため、分割板部材の厚みを大きくする必要がなく、分割板部材はベニヤ板などの厚みの薄い板材とすることができ、梱包性、材料コストおよび輸送コスト、組み立て性などの問題を解消することができるという利点を有している。
【０００６】
しかしながら、その後の検討により、上記箱型収納家具については、分割板部材毎に背面の周縁に沿って補強桟材を固着しなければならないため、製造に手間がかかり、また、補強桟材の分分割板部材の厚みが増すため、梱包性に影響し、これらの点はひいてはコストに反映するという問題が指摘された。
【０００７】
また、上記箱型収納家具については、全体の強度アップは、連結棒部材の中程背側に形成された補強凸部がその両側に配置される補強桟材で挟持される結果として実現されるのであり、補強桟材の存在なくして箱型収納家具全体の強度アップは望めないという問題も指摘された。
【０００８】
さらに、上記箱型収納家具については、連結棒部材の凹溝部における分割板部材の端縁の嵌合寸法が短く、収納体内に物品を収納するなどの際に背板に後方に向かう押圧力が作用すると、分割板部材が連結棒部材から抜け外れることがあるという問題も指摘された。
【０００９】
本発明は、以上の通りの事情に鑑みてなされたものであり、先に提供している箱型収納家具の上記問題を解消し、梱包性および組み立て性を良好に保持し、材料コストおよび輸送コストを抑えつつ、施工現場において組み立てられ、背板の強度が十分な収納体を提供することを課題としている。
【課題を解決するための手段】
【００１０】
本発明の収納体は、上記の課題を解決するために、以下のことを特徴としている。
【００１１】
すなわち、第１の発明は、上下に対向して配置された天板および地板の左右両側に左右一対の側板が連結され、背板が、背面を側板の背面より前方に配置して天板、地板および左右両側板に連結され、背板は、左右に分割された複数の分割板部材が、並置された隣接する２枚の分割板部材の端縁において上下方向に延びるジョイナーによって連結されて形成され、左右両側板に隣接する背板の左右両端縁部の背面に上下方向に延びる縦芯材が配設された、前方に開口する箱型の収納体であって、ジョイナーは、互いに平行な前押さえ板と後押さえ板とが各々の略中央部において垂直に配置された１つの連結板により連結されて形成され、連結板を挟んで左右両側に前押さえ板と後押さえ板とによる挟持部を有し、挟持部において分割板部材の端縁が挟持可能とされ、ジョイナーの後押さえ板にジョイナーの背側に突出する連結支持部が配設され、連結支持部は、後押さえ板の略中央部から垂直に突設された支持板と、支持板の後押さえ板と反対側に位置する一端に後押さえ板に平行に配置された当接板とから形成され、かつ縦芯材の内壁面に当接可能な背面と同一平面上に配置される背面を有していることを特徴としている。
【００１２】
第２の発明は、上記第１の発明において、背板背面から後方に突出する左右両側板の背面と縦芯材の背面とが同一平面上に配置されていることを特徴としている。
【００１３】
第３の発明は、上記第１または第２の発明において、ジョイナーの後押さえ板の連結板を挟んで左右両側に、前押さえ板および連結板に向かって斜め前方に突出する補強リブが配設されていることを特徴としている。
【００１４】
第４に、上記第３の発明において、ジョイナーにおいて前押さえ板の横幅が後押さえ板の横幅より短いことを特徴としている。
【００１５】
第５に、上記第１ないし第４いずれか一つの発明において、ジョイナーの連結支持部は断面略コ字型形状を有していることを特徴としている。
【００１６】
第６に、上記第１ないし第４いずれか一つの発明において、ジョイナーの連結支持部は、後押さえ板の略中央部から垂直に突設された支持板と、支持板の後押さえ板と反対側に位置する一端に後押さえ板に平行に配置された当接板とから形成されていることを特徴としている。
【発明の効果】
【００１７】
上記第１の発明によれば、ジョイナーは、互いに平行な前押さえ板と後押さえ板とが各々の略中央部において垂直に配置された１つの連結板により連結されて形成され、連結板を挟んで左右両側に前押さえ板と後押さえ板とによる挟持部を有し、挟持部において分割板部材の端縁が挟持可能とされ、ジョイナーの後押さえ板にジョイナーの背側に突出する連結支持部が配設され、連結支持部は、縦芯材の内壁面に当接可能な背面と同一平面上に配置される背面を有しているので、挟持部が分割板部材の端縁を挟持する挟持幅を大きくすることができ、ジョイナーによる分割板部材の連結強度は十分高く、背板の強度は十分高い。
【００１８】
しかも、ジョイナーの連結支持部は、後押さえ板の略中央部から垂直に突設された支持板と、支持板の後押さえ板と反対側に位置する一端に後押さえ板に平行に配置された当接板とから形成されているので、ジョイナーの連結支持部は構成の簡略化されたものであり、簡略化された構成によっても、ジョイナーは縦芯材と同等の機能を果たし、また、梱包のコンパクト化およびコスト低減をより図ることができる。また、ジョイナーは、収納体において上下方向に延びているので、ジョイナーは縦芯材としても機能し、背板の補強のために配設される縦芯材の本数を左右両側板に隣接する背板の左右両端縁部の２本にまで減らしても、組み立てられた収納体は、上下方向の圧縮力に対抗することができ、収納体全体の強度が高く、変形しにくい。
【００１９】
また、ジョイナーの連結支持部の背面は、収納体の設置の際に内壁面に当接するため、２枚の分割板部材がジョイナーによって連結される背板の連結部において背板は連結支持部により支持され、背板の連結部における強度は十分であり、収納体内に物品を収納するなどの際に背板に後方に向かう押圧力が作用しても、分割板部材がジョイナーから抜け外れることはない。背板の強度は十分高く保持され、分割板部材にベニヤ板などの厚みの薄い板材を採用することが可能となる。
【００２０】
そして、縦芯材の本数が減り、分割板部材の厚みを薄くすることができるので、梱包性は良好であり、組み立て性も良好であり、また、製造に手間がかかることはないので、総じてコストを抑えることができる。
【００２１】
上記第２の発明によれば、背板背面から後方に突出する左右両側板の背面と縦芯材の背面とが同一平面上に配置されているので、ジョイナーおよび縦芯材の背面側において内壁面との間に隙間が形成されず、収納体設置後の見栄えが良好となる。
【００２２】
上記第３の発明によれば、ジョイナーの後押さえ板の連結板を挟んで左右両側に、前押さえ板および連結板に向かって斜め前方に突出する補強リブが配設されているので、挟持部における分割板部材の挟持力が増大し、ジョイナーによる分割板部材の連結強度がさらに高くなり、背板の強度がさらに高くなる。
【００２３】
上記第４の発明によれば、上記補強リブによって挟持部における分割板部材の挟持力が増大するので、ジョイナーにおいて前押さえ板の横幅を後押さえ板の横幅より短くしても、ジョイナーによる分割板部材の連結強度は十分であり、前押さえ板の横幅を後押さえ板の横幅より短くすることによって、梱包のコンパクト化およびコスト低減を図ることができる。また、背板の表面側に露出する前押さえ板の面積が縮小するので、収納体の見栄えが良好となる。
【発明を実施するための最良の形態】
【００２６】
図１は、本発明の収納体の一実施形態を示した背側斜視図である。
【００２７】
図１に示した収納体１は、天板２、地板３、左右両側板４、５、背板６などの各部材に分解され、コンパクトに梱包された梱包品から荷解きされ、施工現場において組み立てられた前方に開口する箱型のものであり、下駄箱、箪笥などとして使用される。このように収納体１は、生産工場における梱包、倉庫からの運搬および施工現場での組み立てが容易とされ、コスト低減が図られたものである。
【００２８】
天板２および地板３は上下に対向して配置され、各々の左側に左側板４、右側に右側板５が連結されている。左側板４の上端面４ａおよび右側板５の上端面５ａは天板２の天面２ａと同一平面上に配置され、左側板４の下端面４ｂおよび右側板５の下端面５ｂは地板３の底面３ａと同一平面上に配置されている。すなわち、天板２、地板３はともに左側板４および右側板５の間に架設されている。
【００２９】
背板６は、背面６ａを左側板４および右側板５の背面４ｃ、５ｃより前方に配置して天板２、地板３、左側板４および右側板５に連結されている。背板６は、左右に２分割され、上下方向に延びる縦長の２枚の分割板部材７が、同一平面上に並置され、隣接する左右の分割板部材７の端縁において上下方向に収納体１の略全長にわたって延びる縦長のジョイナー８によって連結されている。このように、他の部材に比べ面積の大きい背板６が左右２枚の分割板部材７に分割されているので、１枚の分割板部材７当たりの面積を抑え、コンパクトな梱包を可能にしている。
【００３０】
背板６の背面６ａには、左右両側板４、５に隣接する左右両端縁部、すなわち、一方の分割板部材７の背面７ａにおいて左側板４に隣接する左端縁部および他方の分割板部材７の背面７ａにおいて右側板５に隣接する右端縁部に、ジョイナー８の長さに略等しい収納体１の略全長にわたって上下方向に延びる縦長の縦芯材９が配設されている。縦芯材９は、幅方向の中央部において長さ方向に沿って貼り付けられた両面テープによって分割板部材７の背面７ａに貼着したり、接着剤によって分割板部材７の背面７ａに接着したりするなどして配設することができる。両面テープの使用は縦芯材９の施工を容易とし、収納体１の施工現場での作業性に優れる。配設された縦芯材９の背面９ａは、左側板４の背面４ｃおよび右側板５の背面５ｃと同一平面上に配置され、収納体１の設置に際し内壁面に当接可能としている。
【００３１】
ジョイナー８は、図２に示したように、互いに平行な前押さえ板１０と後押さえ板１１とが各々の略中央部において垂直に配置された連結板１２により連結されて形成され、連結板１２を挟んで左右両側に前押さえ板１０と後押さえ板１１とによる挟持部１３を有している。挟持部１３は、前押さえ板１０、後押さえ板１１および連結板１２によって囲まれて形成されている。ジョイナー８は、挟持部１３において分割板部材７の端縁７ｂを挟持可能であり、挟持部１３における前押さえ板１０と後押さえ板１１との間隔は分割板部材７の厚みより若干小さくし、挟持部１３が弾性的に分割板部材７の端縁７ｂを挟持して挟持力を高めることができる。分割板部材７のジョイナー８からの抜け外れを効果的に抑えることができる。
【００３２】
また、ジョイナー８には、後押さえ板１１に、ジョイナー８の背側に突出する連結支持部１４が配設されている。連結支持部１４は、断面略コ字型形状を有し、後押さえ板１１の左右両端縁部に接続一体化され、後押さえ板１１とによって断面矩形の中空部１５を形成し、ジョイナー８の軽量化を図っている。このように、連結支持部１４の構成が断面略コ字型形状という簡略化された構成であっても、ジョイナー８は縦芯材９と同等の機能を果たし、また、梱包のコンパクト化およびコスト低減をより図ることができる。連結支持部１４の背面１４ａは、図１に示したように、縦芯材９の背面９ａと同一平面上に配置されている。
【００３３】
このように、ジョイナー８では、挟持部１３が分割板部材７の端縁７ｂを挟持する挟持幅が大きくなっている。ジョイナー８では、前押さえ板１０の横幅ｗ１と後押さえ板１１の横幅ｗ２が等しく、たとえば１５ｍｍ程度とすることができ、連結板１２の厚みを十分抑えることにより挟持部１３の挟持幅の拡大が実現される。したがって、ジョイナー８による分割板部材７の連結強度は十分高く、背板６の強度は十分高い。
【００３４】
しかも、ジョイナー８は、収納体１において上下方向に延びているので、ジョイナー８は縦芯材９としても機能し、背板６の補強のために配設される縦芯材９の本数を左右両側板４、５に隣接する背板６の左右両端縁部の２本にまで減らしても、組み立てられた収納体１は、上下方向の圧縮力に対抗することができ、収納体１全体の強度が高く、変形しにくい。
【００３５】
また、図３に示したように、収納体１は、地板３側を下に向け、縦芯材９の背面９ａを内壁１６の内壁面１６ａに当接させて設置されるが、ジョイナー８の連結支持部１４の背面１４ａは、上記の通り、縦芯材９の背面９ａと同一平面上に配置されているため、連結支持部１４の背面１４ａは収納体１の設置の際に内壁面１６ａに当接する。この当接によって、２枚の分割板部材７がジョイナー８によって連結される背板６の連結部において背板６は連結支持部１４により支持されるため、背板６の連結部における強度は十分であり、収納体１内に物品を収納するなどの際に、図３図中に矢印で示したように、背板６に後方に向かう押圧力が作用しても、分割板部材７がジョイナー８から抜け外れることはない。
【００３６】
したがって、ジョイナー８により背板６の強度は十分高く保持され、分割板部材７に２〜３ｍｍ程度のベニヤ板などの厚みの薄い板材を採用することが可能となる。また、背板６は十分な強度を有するため、３枚以上の分割板部材７に分割することも可能である。分割板部材７の枚数は、収納体１の梱包性および組み立て性を考慮して適宜決めることができる。
【００３７】
そして、縦芯材９の本数が減り、分割板部材７の厚みを薄くすることができるので、収納体１の梱包性は良好であり、組み立て性も良好であり、また、製造に手間がかかることはないので、総じてコストを抑えることができる。
【００３８】
また、収納体１では、上記の通り、縦芯材９の背面９ａは、左側板４の背面４ｃおよび右側板５の背面５ｃと同一平面上に配置されてもいるので、収納体１を設置した際に、ジョイナー８および縦芯材９の背面１４ａ、９ａ側において内壁面１６ａとの間に隙間が形成されず、収納体１の設置後の見栄えが良好となる。収納体１における背板６の背面６ａと左右両側板４、５の背面４ｃ、５ｃとの間の寸法は１０〜１５ｍｍ程度が一般的であり、背面９ａを左右両側板４、５の背面４ｃ、５ｃと同一平面上に配置する場合の縦芯材９の厚みはさほど厚いものではないが、上記寸法と同程度の厚みの縦芯材９であっても背板６を十分に補強することができる。同様に、ジョイナー８の厚みもさほど厚くないが、背板６を十分に補強することができる。このように厚みのさほど厚くない縦芯材９およびジョイナー８は収納体１の梱包性の向上に寄与する。
【００３９】
なお、縦芯材９の背面９ａは、必ずしも収納体１の左右両側板４、５の背面４ｃ、５ｃと同一平面上に配置される必要はなく、収納体１の設置後の見栄えに支障を与えない程度に、縦芯材９の背面９ａを左右両側板４、５の背面４ｃ、５ｃから後方に突出させることは可能である。ただし、ジョイナー８の連結支持部１４の背面１４ａは、２枚の分割板部材７がジョイナー８によって連結される背板６の連結部において背板６を支持することができるように、縦芯材９の背面９ａと同一平面上に配置する。
【００４０】
また、図２に示したジョイナー８には、後押さえ片１１の左右両側端縁に沿って、前押さえ板１０および連結板１２に向かって斜め前方に突出する補強リブ１７が配設されている。補強リブ１７は、ジョイナー８の分割板部材７との接続時に端縁７ｂが挟持部１３に差し込まれることにともなって内側に傾倒するため、弾性復元力を発生させることができ、挟持部１３における分割板部材７の挟持力が増大する。ジョイナー８による分割板部材７の連結強度がさらに高くなり、背板６の強度がさらに高くなる。
【００４１】
このような補強リブ１７の配設位置は、ジョイナー８の後押さえ板１１の連結板１２を挟んで左右両側であれば特に制限はなく、後押さえ片１１の左右両側端縁に限定されない。
【００４２】
図１に示した収納体１の組み立ては施工現場において行われる。
【００４３】
図４に示したように、まず、施工現場において、外側面を下にして左側板４を配置し、左端縁部に天板２を、右端縁部に地板３をダボおよび接着剤を用いて連結する。次いで、天板２および地板３の内面部において背側端縁に沿って形成された結合凹溝１８に上端から１枚目の分割板部材７を差し込み、嵌め込みながら、左側板４の内面部において同じく背側端縁に沿って形成された結合凹溝１８に分割板部材７の端縁を嵌合させる。その際、各結合凹溝１８には接着剤を塗布しておき、分割板部材７が天板２、地板３および左側板４に強固に固定されるようにする。また、分割板部材７は、端縁部において左側板４の内面部背側に固着されたＬ型結合具１９によって固定し、より強固に固定することができる。結合凹溝１８に端縁を嵌合させて分割板部材７を固定するため、分割板部材７により形成される図１に示した背板６は、収納体１において、背面６ａが左右両側板４、５の背面４ｃ、５ｃより前方に配置される。
【００４４】
この後、固定した分割板部材７の端縁７ｂを一方の挟持部１３によって挟持するようにして分割板部材７の端縁７ｂにジョイナー８を接続する。このとき、図５に示したように、ジョイナー８は、後押さえ片１１に背側に突出する連結支持部１４が配設されているが、連結支持部１４は、断面コ字型形状を有し、後押さえ片１１との間に中空部１５を形成していることから軽量であり、接続後に手を離してもジョイナー８は後下方に回動して分割板部材７の端縁７ｂから抜け落ちることがない。施工性に優れている。
【００４５】
ジョイナー８の接続後には、図４に示したように、２枚目の分割板部材７を１枚目の分割板部材７と同様にして天板２および地板３の結合凹溝１８に上端から差し込み、嵌め込んで端縁７ｂをジョイナー８の他方の挟持部１３に挟持させ、２枚目の分割板部材７をジョイナー８に接続する。なお、ジョイナー８の両挟持部１３には内側に接着剤を塗布しておき、２枚の分割板部材７のジョイナー８による連結強度を高める。
【００４６】
そして、右側板５をダボおよび接着剤を用いて天板２および地板３に連結し、前方に開口する箱型の収納体１を組み立てる。組み立てた収納体１では、図１に示したように、左側板４の上端面４ａおよび右側板５の上端面５ａが天板２の天面２ａと同一平面上に配置され、左側板４の下端面４ｂおよび右側板５の下端面５ｂが地板３の底面３ａと同一平面上に配置される。
【００４７】
次いで、図１に示したように、組み立てた収納体１の背板６の背面６ａにおいて左右両側板４、５に隣接する左右両端縁部に縦芯材９を１本ずつ配設する。その際、収納体１は、図４に示した左側板４が下を向いた横倒し状態としても、図１に示したように、地板３側を下にして起こした状態としてもどちらでもよい。高さの高い収納体１については、図４に示したような横倒し状態として縦芯材９を配設すると、施工が容易となる。この場合、縦芯材９は横方向に施工することになる。
【００４８】
こうして組み立て完成した収納体１を図３に示したように、地板３側を下に向け、床に置き、内壁１６の際に設置する。
【００４９】
本発明の収納体は、ジョイナーにいくつかのバリエーションを有する。
【００５０】
図６＜ａ＞に示したジョイナー８１は、図２に示したジョイナー８とほぼ同様な構成を有しているが、補強リブ１７の配設にともなう挟持部１３の挟持力の増大が望めるので、前押さえ板１０の横幅ｗ１を後押さえ板１１の横幅ｗ２より短くしている。たとえば、ｗ２を１５ｍｍとするとき、ｗ１は１０ｍｍにすることができる。前押さえ板１０の横幅ｗ１の短縮によって材料コストの低減が図られ、梱包のコンパクト化が向上する。また、背板６の表面側に露出する前押さえ板１０の面積が縮小するので、収納体１の見栄えが良好となる。
【００５１】
なお、補強リブ１７は、十分な挟持力が得られるように、前押さえ板１０の左右両端縁に対向させており、図２に示したジョイナー８に比べ、連結板１２寄りに配設されている。
【００５２】
図６＜ｂ＞に示したジョイナー８２は、図６＜ａ＞に示したジョイナー８１と同様に、前押さえ板１０の横幅ｗ１を後押さえ板１１の横幅ｗ２より短くしているとともに、分割板部材７の後方への抜け外れをより確実に押さえられるように、後押さえ板１１の横幅ｗ２を図６＜ａ＞に示したジョイナー８１の後押さえ板１１の横幅ｗ２より長くしている。
【００５３】
また、ジョイナー８２では、連結支持部１４は、断面コ字型形状を有するが、後押さえ板１１の中央部寄りに接続され、横幅が、図２に示したジョイナー８および図６＜ａ＞に示したジョイナー８１の連結支持部１４の横幅より短くなっている。内壁面１６ａへの当接により背板６の連結部を十分支持することができる程度に連結支持部１４の構成にバリエーションを持たせることができる。断面コ字型形状の連結支持部１４の横幅を短縮することによって材料コストのさらなる低減が図られ、梱包のコンパクト化がさらに向上する。
【００５４】
なお、補強リブ１７の配設位置は、図６＜ａ＞に示したジョイナー８１と同様にしている。
【００５５】
図６＜ｃ＞に示したジョイナー８３は、図６＜ｂ＞に示したジョイナー８２と連結支持部１４の構成において異なっている。その他の構成は同様である。
【００５６】
図６＜ｃ＞に示したジョイナー８３では、連結支持部１４は、後押さえ板１１の略中央部から垂直に突設された支持板２０と、支持板２０の後押さえ板１１と反対側に位置する一端に後押さえ板１１に平行に配置された当接板２１とから形成されている。当接板２１の背面１４ａを縦芯材９の背面９ａと同一平面上に配置させることができれば、このように支持板２０によって当接板２１を後押さえ板１１に連結することができる。連結支持部１４のより軽量化が図られ、施工性を向上させることができる。
【００５７】
上記いずれのジョイナー８、８１、８２、８３も、構成が簡略化され、簡略化された構成によっても縦芯材９と同等の機能を果たし、また、梱包のコンパクト化およびコスト低減をより図ることができる。ジョイナー８、８１、８２、８３は、たとえば樹脂成形品、アルミニウムなどの軽金属からの成形品とすることができ、この場合、製造が容易となる。
【図面の簡単な説明】
【００５８】
【図１】本発明の収納体の一実施形態を示した背側斜視図である。
【図２】図１に示したジョイナーを分割板部材とともに示した背側斜視図である。
【図３】図１に示した収納体の設置状態を示した要部断面図である。
【図４】図１に示した収納体の組み立て手順を示した分解斜視図である。
【図５】図４に示した収納体の組み立て手順における一枚目の分割板部材とジョイナーとの接続状態を示した要部断面図である。
【図６】＜ａ＞＜ｂ＞＜ｃ＞は、それぞれ、本発明の収納体におけるジョイナーのバリエーションを示した断面図である。
【符号の説明】
【００５９】
１  収納体
２  天板
３  地板
４  左側板
４ｃ  背面
５  右側板
５ｃ  背面
６  背板
６ａ  背面
７  分割板部材
７ｂ  端縁
８、８１、８２、８３  ジョイナー
９  縦芯材
９ａ  背面
１０  前押さえ板
１１  後押さえ板
１２  連結板
１３  挟持部
１４  連結支持部
１４ａ  背面
１６ａ  内壁面
１７  補強リブ
２０  支持板
２１  当接板
【図１】
0005074111.tif 000002
【図２】
0005074111.tif 000003
【図３】
0005074111.tif 000004
【図４】
0005074111.tif 000005
【図５】
0005074111.tif 000006
【図６】
0005074111.tif 000007